(57)【要約】      （修正有）【課題】呼び出し時に不在であった利用者が再度来店した場合にも適切に対応することを可能とする情報管理装置、情報管理方法及びプログラムを提供する。【解決手段】情報管理装置１０において、登録部１０２は、複数の利用者の各々の店舗に対する順番待ちを示す複数の順番待ち情報を、順番待ちが受け付けられた順に登録する。表示処理部１０４は、登録された複数の順番待ち情報を店舗端末に表示する。受付部１０１は、店舗端末に表示された複数の順番待ち情報のうちの第１順番待ち情報に従って呼び出された利用者が不在であることを示す不在情報を受信する。表示処理部１０４は、不在情報が受信された場合、登録された複数の順番待ち情報のうちの第１順番待ち情報を非表示とする。表示処理部１０４は、店舗端末に対する操作に応じて第１順番待ち情報を店舗端末に再度表示する。【選択図】図３
2019046432.tif 000002
【特許請求の範囲】
【請求項１】
店舗に設けられる店舗端末と通信可能に接続される情報管理装置において、
複数の利用者の各々の前記店舗に対する順番待ちを示す複数の順番待ち情報であって、当該順番待ち情報よりも前に登録された順番待ち情報の数に基づいて算出される登録時の第１入店予定時刻をそれぞれ含む複数の順番待ち情報を、当該順番待ちが受け付けられた順に登録する登録手段と、
前記複数の順番待ち情報の各々よりも前に登録された順番待ち情報の数及び現在時刻に基づいて、当該複数の順番待ち情報によって示される順番待ちの各々における利用者の現在の第２入店予定時刻を算出する算出手段と、
前記複数の順番待ち情報の各々に含まれる第１入店予定時刻と当該複数の順番待ち情報によって示される順番待ちの各々における利用者の現在の第２入店予定時刻とをそれぞれ比較することによって当該比較結果を通知する通知手段と
を具備する情報管理装置。
【請求項２】
店舗に設けられる店舗端末と通信可能に接続される情報管理装置において、
複数の利用者の各々の前記店舗に対する順番待ちを示す複数の順番待ち情報であって、当該順番待ち情報よりも前に登録された順番待ち情報の数に基づいて算出される登録時の第１入店予定時刻をそれぞれ含む複数の順番待ち情報を、当該順番待ちが受け付けられた順に登録する登録手段と、
前記複数の順番待ち情報の各々によって示される順番待ちに従って呼び出された利用者を店舗に案内した時刻を、当該順番待ち情報毎に取得する取得手段と、
前記複数の順番待ち情報の各々に含まれる第１入店予定時刻と当該順番待ち情報毎に取得された時刻との差分の一覧を出力する出力手段と
を具備する情報管理装置。
【請求項３】
店舗に設けられる店舗端末と通信可能に接続される情報管理装置が実行する情報管理方法であって、
複数の利用者の各々の前記店舗に対する順番待ちを示す複数の順番待ち情報であって、当該順番待ち情報よりも前に登録された順番待ち情報の数に基づいて算出される登録時の第１入店予定時刻をそれぞれ含む複数の順番待ち情報を、当該順番待ちが受け付けられた順に登録するステップと、
前記複数の順番待ち情報の各々よりも前に登録された順番待ち情報の数及び現在時刻に基づいて、当該複数の順番待ち情報によって示される順番待ちの各々における利用者の現在の第２入店予定時刻を算出するステップと、
前記複数の順番待ち情報の各々に含まれる第１入店予定時刻と当該複数の順番待ち情報によって示される順番待ちの各々における利用者の現在の第２入店予定時刻とをそれぞれ比較することによって当該比較結果を通知するステップと
を具備する情報管理方法。
【請求項４】
店舗に設けられる店舗端末と通信可能に接続される情報管理装置が実行する情報管理方法であって、
複数の利用者の各々の前記店舗に対する順番待ちを示す複数の順番待ち情報であって、当該順番待ち情報よりも前に登録された順番待ち情報の数に基づいて算出される登録時の第１入店予定時刻をそれぞれ含む複数の順番待ち情報を、当該順番待ちが受け付けられた順に登録するステップと、
前記複数の順番待ち情報の各々によって示される順番待ちに従って呼び出された利用者を店舗に案内した時刻を、当該順番待ち情報毎に取得するステップと、
前記複数の順番待ち情報の各々に含まれる第１入店予定時刻と当該順番待ち情報毎に取得された時刻との差分の一覧を出力するステップと
を具備する情報管理方法。
【請求項５】
店舗に設けられる店舗端末と通信可能に接続される情報管理装置のコンピュータによって実行されるプログラムであって、
前記コンピュータに、
複数の利用者の各々の前記店舗に対する順番待ちを示す複数の順番待ち情報であって、当該順番待ち情報よりも前に登録された順番待ち情報の数に基づいて算出される登録時の第１入店予定時刻をそれぞれ含む複数の順番待ち情報を、当該順番待ちが受け付けられた順に登録するステップと、
前記複数の順番待ち情報の各々よりも前に登録された順番待ち情報の数及び現在時刻に基づいて、当該複数の順番待ち情報によって示される順番待ちの各々における利用者の現在の第２入店予定時刻を算出するステップと、
前記複数の順番待ち情報の各々に含まれる第１入店予定時刻と当該複数の順番待ち情報によって示される順番待ちの各々における利用者の現在の第２入店予定時刻とをそれぞれ比較することによって当該比較結果を通知するステップと
を実行させるためのプログラム。
【請求項６】
店舗に設けられる店舗端末と通信可能に接続される情報管理装置のコンピュータによって実行されるプログラムであって、
前記コンピュータに、
複数の利用者の各々の前記店舗に対する順番待ちを示す複数の順番待ち情報であって、当該順番待ち情報よりも前に登録された順番待ち情報の数に基づいて算出される登録時の第１入店予定時刻をそれぞれ含む複数の順番待ち情報を、当該順番待ちが受け付けられた順に登録するステップと、
前記複数の順番待ち情報の各々によって示される順番待ちに従って呼び出された利用者を店舗に案内した時刻を、当該順番待ち情報毎に取得するステップと、
前記複数の順番待ち情報の各々に含まれる第１入店予定時刻と当該順番待ち情報毎に取得された時刻との差分の一覧を出力するステップと
を実行させるためのプログラム。
【発明の詳細な説明】
【技術分野】
【０００１】
本発明は、情報管理装置、情報管理方法及びプログラムに関する。
【背景技術】
【０００２】
一般に、飲食店等の店舗を利用する利用者は、当該店舗に来店した時点で当該店舗が満席の状態にある場合、当該店舗が利用可能となるまで順番待ちをする必要がある。
【０００３】
近年では、このような順番待ちを管理するためのシステム（以下、情報管理システムと表記）が開発されており、当該情報管理システムにおいては、順番待ちの管理業務を効率化することができる（例えば、特許文献１を参照）。
【先行技術文献】
【特許文献】
【０００４】
【特許文献１】特開２００３−１７４４０１号公報
【発明の概要】
【発明が解決しようとする課題】
【０００５】
ところで、例えば店舗のスタッフが順番待ちをしている第１利用者を呼び出した際に当該第１利用者が付近に待機していない（つまり、呼び出し時に不在である）場合には、当該第１利用者の次に順番待ちをしている第２利用者を呼び出すことになる。
【０００６】
しかしながら、例えば第２利用者を案内した後に第１利用者が再度来店した（つまり、戻ってきた）ような場合、当該第１利用者に対する対応は店舗によって異なる場合が多い。
【０００７】
そこで、本発明の目的は、呼び出し時に不在であった利用者が再度来店した場合にも適切に対応することが可能な情報管理装置、情報管理方法及びプログラムに関する。
【課題を解決するための手段】
【０００８】
本発明の１つの態様によれば、店舗に設けられる店舗端末と通信可能に接続される情報管理装置が提供される。前記情報管理装置は、登録手段と、算出手段と、通知手段とを具備する。前記登録手段は、複数の利用者の各々の前記店舗に対する順番待ちを示す複数の順番待ち情報であって、当該順番待ち情報よりも前に登録された順番待ち情報の数に基づいて算出される登録時の第１入店予定時刻をそれぞれ含む複数の順番待ち情報を、当該順番待ちが受け付けられた順に登録する。前記算出手段は、前記複数の順番待ち情報の各々よりも前に登録された順番待ち情報の数及び現在時刻に基づいて、当該複数の順番待ち情報によって示される順番待ちの各々における利用者の現在の第２入店予定時刻を算出する。前記通知手段は、前記複数の順番待ち情報の各々に含まれる第１入店予定時刻と当該複数の順番待ち情報によって示される順番待ちの各々における利用者の現在の第２入店予定時刻とをそれぞれ比較することによって当該比較結果を通知する。
【発明の効果】
【０００９】
本発明は、呼び出し時に不在であった利用者が再度来店した場合にも適切に対応することを可能とする。
【図面の簡単な説明】
【００１０】
【図１】本発明の実施形態に係る情報管理装置を備える情報管理システムの構成の一例を示す図。
【図２】情報管理装置のハードウェア構成の一例を示す図。
【図３】情報管理装置の機能構成の一例を示すブロック図。
【図４】第１店舗端末からの順番待ちを示す順番待ち情報を登録する際の情報管理システムの処理手順の一例を示すシーケンスチャート。
【図５】格納部に登録された順番待ち情報のデータ構造の一例を示す図。
【図６】第２店舗端末に順番待ち情報を表示する際の情報管理システムの処理手順の一例を示すシーケンスチャート。
【図７】順番待ち一覧画面の一例を示す図。
【図８】順番待ち一覧画面の一例を示す図。
【図９】不在一覧画面の一例を示す図。
【図１０】不在一覧画面の一例を示す図。
【図１１】呼び出し後に利用者が再度来店した場合における情報管理システムの処理手順の一例を示すシーケンスチャート。
【図１２】順番指定画面の一例を示す図。
【図１３】順番待ち一覧画面の一例を示す図。
【図１４】入店予定時刻を利用して順番待ち一覧画面の表示を変化させる場合の情報管理装置１０の処理手順を示すフローチャート。
【発明を実施するための形態】
【００１１】
以下、図面を参照して、本発明の実施形態について説明する。
【００１２】
図１は、本実施形態に係る情報管理装置を備える情報管理システム（ネットワークシステム）の構成を示す。情報管理システムは、各種店舗（施設）における利用者の順番待ちを管理するためのシステムである。なお、本実施形態において、店舗には、例えば飲食店、薬局、病院、美容院、旅行代理店、スマートフォンまたは携帯電話の購入及び契約が可能なショップ、及びアミューズメント施設等が含まれる。すなわち、本実施形態における店舗は、当該店舗を利用者が利用するために順番待ちが可能な店舗であればよい。
【００１３】
図１に示すように、情報管理システムは、情報管理装置１０、第１店舗端末２０及び第２店舗端末３０を備える。なお、情報管理装置１０は、第１店舗端末２０及び第２店舗端末３０とそれぞれインターネットのようなネットワーク４０を介して通信可能に接続されている。
【００１４】
情報管理装置１０は、店舗における利用者による順番待ちを管理するための機能を有するサーバ装置である。なお、情報管理装置１０の機能構成については後述する。
【００１５】
第１店舗端末２０及び第２店舗端末３０は、順番待ちが可能な店舗に設けられている。第１店舗端末２０は、例えば店舗の入り口（つまり、店頭）付近に設置され、主に店舗に来店する利用者（客）によって使用される。利用者は、例えば店舗に来店した時点で店舗が満席の状態にある場合、第１店舗端末２０を操作することによって当該店舗において順番待ちをすることができる。
【００１６】
第２店舗端末３０は、例えば店舗のレジ付近に設置され、主に店舗のスタッフ（従業員等）によって使用される。店舗のスタッフは、第２店舗端末３０において順番待ちの状況等を確認することができる。
【００１７】
本実施形態においては、第１店舗端末２０及び第２店舗端末３０が異なる端末であるものとして説明するが、当該第１店舗端末２０及び第２店舗端末３０は一体として構成されていてもよい。
【００１８】
なお、図１においては便宜的に第１店舗端末２０及び第２店舗端末３０が１つずつ示されているが、情報管理装置１０には、複数の第１店舗端末２０及び第２の店舗端末３０が接続されていてもよい。
【００１９】
図２は、図１に示す情報管理装置１０のハードウェア構成の一例を示す。図２に示すように、情報管理装置１０においては、バス１１に、不揮発性メモリ１２、ＣＰＵ１３、メインメモリ１４及び通信部１５等が接続されている。なお、不揮発性メモリ１２及びメインメモリ１４は、情報管理装置１０の記憶装置を構成する。
【００２０】
不揮発性メモリ１２は、例えばオペレーティングシステム（ＯＳ）及び上記した店舗における順番待ちを管理するためのプログラム（以下、順番管理プログラムと表記）を含む各種プログラムを格納する。
【００２１】
ＣＰＵ１３は、例えば不揮発性メモリ１２に格納されている各種プログラムを実行するプロセッサである。なお、ＣＰＵ１３は、情報管理装置１０全体の制御を実行する。
【００２２】
メインメモリ１４は、例えばＣＰＵ１３が各種プログラムを実行する際に必要とされるワークエリア等として使用される。
【００２３】
図２においては不揮発性メモリ１２及びメインメモリ１４のみが示されているが、情報管理装置１０は、ＨＤＤ（Hard Disk Drive）及びＳＳＤ（Solid State Drive）等の他の記憶装置を備えていてもよい。
【００２４】
通信部１５は、インターネット等のネットワーク４０を介して例えば第１店舗端末２０及び第２店舗端末３０等の外部装置との通信を制御する機能を有する。なお、通信部１５によれば、例えば無線ＬＡＮ及びＷｉｆｉ（登録商標）等の無線通信機能を実現することができる。
【００２５】
図３は、本実施形態に係る情報管理装置１０の主として機能構成の一例を示すブロック図である。図３に示すように、情報管理装置１０は、受付部１０１、登録部１０２、管理部１０３、表示処理部１０４及び格納部１０５等を含む。
【００２６】
本実施形態において、各部１０１〜１０４は、例えば図２に示すＣＰＵ１３（つまり、情報管理装置１０のコンピュータ）が不揮発性メモリ１２に格納されている順番管理プログラムを実行すること（つまり、ソフトウェア）により実現されるものとする。なお、この順番管理プログラムは、コンピュータ読み取り可能な記憶媒体に予め格納して頒布可能である。また、このプログラムは、例えばネットワークを介して情報管理装置１０にダウンロードされても構わない。
【００２７】
ここでは、各部１０１〜１０４がソフトウェアにより実現されるものとして説明したが、当該各部１０１〜１０４は、ハードウェアにより実現されてもよいし、ソフトウェア及びハードウェアの組み合わせ構成によって実現されてもよい。
【００２８】
また、本実施形態において、格納部１０５は、例えば図２に示す不揮発性メモリまたは他の記憶装置等に格納される。
【００２９】
受付部１０１は、例えば第１店舗端末２０に対する複数の利用者の各々の操作に基づいて、当該第１店舗端末２０から店舗に対する順番待ちを受け付ける。また、受付部１０１は、例えば第２店舗端末３０から店舗に対する順番待ちを受け付けることも可能である。
【００３０】
登録部１０２は、受付部１０１によって第１店舗端末２０からの順番待ちが受け付けられた場合、当該順番待ちを示す順番待ち情報を格納部１０５に登録（格納）する。また、登録部１０２は、受付部１０１によって第２店舗端末３０からの順番待ちが受け付けられた場合には、当該順番待ちを示す順番待ち情報を格納部１０５に登録する。
【００３１】
なお、順番待ち情報は、当該順番待ち情報によって示される順番待ちが受け付けられた順に格納部１０５に格納される。
【００３２】
管理部１０３は、例えば第２店舗端末３０からの要求に応じて、格納部１０５に格納された順番待ち情報を当該第２店舗端末３０に表示するための画面（以下、順番待ち一覧画面と表記）を生成する。
【００３３】
また、管理部１０３は、第２店舗端末３０に対する店舗のスタッフの操作に基づいて、格納部１０５に格納されている順番待ち情報を更新する。
【００３４】
表示処理部１０４は、管理部１０３によって生成された順番待ち一覧画面を第２店舗端末３０に送信し、当該順番待ち一覧画面を第２店舗端末３０に表示させる。
【００３５】
以下、図４のシーケンスチャートを参照して、第１店舗端末２０からの順番待ちを示す順番待ち情報を登録する際の情報管理システムの処理手順について説明する。ここでは、第１店舗端末２０から順番待ちを行う利用者を対象利用者と称する。
【００３６】
まず、対象利用者が第１店舗端末２０（及び第２店舗端末３０）が設けられている店舗に来店した場合を想定する。この場合、第１店舗端末２０には、対象利用者の店舗に対する順番待ちを受け付けるための受付画面が表示されている（ステップＳ１）。なお、この受付画面は、例えば第１店舗端末２０上で動作するブラウザを介して表示されている。
【００３７】
例えば対象利用者が店舗に来店した時点で店舗が満席の状態にある場合、対象利用者は、第１店舗端末２０に表示されている受付画面に対する操作を行う。なお、例えば店舗の利用者の数等を把握するために、満席の状態でない場合であっても受付画面に対する操作を利用者に行わせるようにしてもよい。
【００３８】
第１店舗端末２０は例えばタッチパネルを備えており、対象利用者は、当該タッチパネルを介して、受付画面において例えば店舗に入店する人数を入力（指定）することができる。
【００３９】
なお、本実施形態における受付画面においては少なくとも人数を入力することができるものであればよいが、当該受付画面は、例えば対象利用者の氏名、電話番号または店舗に対する要望等を入力することができるようなものであってもよい。店舗が飲食店等である場合には、当該店舗に対する要望としては、例えば対象利用者が利用する席の種別としてテーブル席、カウンター席及び座敷等を選択することができる。また、禁煙席または喫煙席を選択することができるようにしてもよい。
【００４０】
また、受付画面においては、後述する第２店舗端末３０に表示される順番待ち一覧画面と同様に、順番待ちの状況（順番待ち情報の一覧）が表示されてもよい。
【００４１】
また、受付画面において人数を入力することができるものとして説明したが、当該受付画面において例えば「受付」ボタンが押下された場合に、人数を入力することができるようにしてもよい。
【００４２】
上記したように受付画面に対して対象利用者が人数を入力した場合、当該第１店舗端末２０は、対象利用者によって入力された人数を取得する（ステップＳ２）。
【００４３】
第１店舗端末２０は、取得された人数を含む順番待ちの受付要求を、ネットワーク４０を介して情報管理装置１０に送信する（ステップＳ３）。
【００４４】
情報管理装置１０に含まれる受付部１０１は、第１店舗端末２０によって送信された順番待ちの受付要求を受信する。これにより、受付部１０１は、第１店舗端末２０が設けられている店舗に対する順番待ちを受け付ける。
【００４５】
次に、登録部１０２は、受付部１０１によって受け付けられた順番待ちを登録するために、当該順番待ちを示す順番待ち情報を生成する（ステップＳ４）。
【００４６】
ここで、ステップＳ４の処理について説明する。まず、受付部１０１によって順番待ちが受け付けられた場合、登録部１０２は、当該順番待ちに対して受付番号を発行する。この受付番号は、例えば店舗の営業開始から順番待ちが受け付けられる度に連番で発行される。なお、受付番号は、営業日が変わればリセットされるものとする。
【００４７】
また、登録部１０２は、例えば現在時刻を登録時刻として取得する。登録時刻は、順番待ち情報が登録された時刻として用いられる。なお、この登録時刻（現在時刻）は、例えば情報管理装置１０内のクロック等から取得される。
【００４８】
なお、上記したように格納部１０５には、例えば対象利用者の順番待ちよりも前に受け付けられた（登録された）他の利用者の順番待ちを示す順番待ち情報が格納されている。
【００４９】
登録部１０２は、取得された登録時刻と格納部１０５に格納されている順番待ち情報の数に基づいて対象利用者の入店予定時刻を算出する。
【００５０】
具体的には、登録部１０２は、格納部１０５に格納されている順番待ち情報の数（つまり、既に順番待ちをしている他の利用者の組の数）に対象利用者（の組）を加えた待ち組数をカウントする。なお、ここで待ち組数としてカウントされる他の利用者（の組）は、まだ店舗に案内されていない利用者であるものとする。利用者が店舗に案内された場合の処理については後述する。
【００５１】
ここで、本実施形態においては、順番待ちをしている１組の利用者が入店することができるまでの時間（以下、単位待ち時間と表記）が予め設定されている。このため、登録部１０２は、この予め設定されている単位待ち時間にカウントされた待ち組数を乗算することによって、対象利用者が店舗に入店することができるまでの時間（以下、待ち時間と表記）を算出する。
【００５２】
なお、単位待ち時間は、情報管理装置１０（情報管理システム）側で店舗毎に設定されていればよい。単位待ち時間は、例えば店舗の業種及び業態に応じた利用客数及び回転率等に従って設定される。しかしながら、店舗の状況等によっては単位待ち時間を店舗側で修正したい場合がある。この場合、単位待ち時間は店舗のスタッフによる第２店舗端末３０に対する操作に応じて、一時的に補正することができるような構成であってもよい。
【００５３】
ここでは、単位待ち時間が情報管理装置１０側で設定されるものとして説明したが、単位待ち時間は、情報管理装置１０側では設定されず、各店舗に設けられている第２店舗端末３０において設定される構成であってもよい。
【００５４】
登録部１０２は、取得された登録時刻に、算出された待ち時間を加算することによって対象利用者の入店予定時刻を算出する。
【００５５】
また、登録部１０２は、対象利用者（の順番待ち）のステータスを取得する。ステータスは、利用者が店舗に案内されていない（入店していない）こと示す「未案内」、利用者が店舗に案内された（入店した）ことを示す「案内済み」、利用者が順番待ちをキャンセルしたことを示す「キャンセル」等を含む。上記したようにステップＳ４において順番待ち情報が生成される時点では、登録部１０２は、対象利用者のステータスとして「未案内」を取得する。
【００５６】
これにより、登録部１０２は、受付部１０１によって受信された受付要求に含まれる人数に加えて、上記した受付番号、登録時刻、入店予定時刻及びステータスを含む順番待ち情報を生成する。
【００５７】
上記したようにステップＳ４において生成された順番待ち情報は、登録部１０２によって格納部１０５に登録される（ステップＳ５）。
【００５８】
ステップＳ５において順番待ち情報が登録されると、当該登録が完了した旨の通知（以下、登録完了通知と表記）が情報管理装置１０から第１店舗端末２０に送信される（ステップＳ６）。なお、登録完了通知には、登録された順番待ち情報に含まれる受付番号等が含まれる。
【００５９】
ここで、第１店舗端末２０には、印刷装置が内蔵されているものとする。これにより、第１店舗端末２０においては、情報管理装置１０から送信された登録完了通知（に含まれる受付番号）が受信され、印刷装置によって当該受付番号が印刷された順番待ちカードが発券される（ステップＳ７）。なお、登録完了通知には、受付番号の他に、受付日時（登録時刻）等の情報が含まれていてもよい。
【００６０】
対象利用者は、発券された順番待ちカードに印刷されている受付番号に基づいて店舗のスタッフに呼び出されることによって、当該店舗に入店することができる。
【００６１】
ここで、図５は、上記した図４に示す処理が実行されることによって格納部１０５に登録された順番待ち情報のデータ構造の一例を示す。
【００６２】
図５に示す例では、格納部１０５には、順番待ち情報１０５ａ〜１０５ｅが格納（登録）されている。図５に示すように、順番待ち情報１０５ａ〜１０５ｅは、受付番号、人数、登録時刻、入店予定時刻及びステータスを含む。なお、受付番号、人数、登録時刻、入店予定時刻及びステータスについては、上記した通りであるため、ここではその詳しい説明を省略する。
【００６３】
なお、順番待ち情報１０５ａ〜１０５ｅは、情報管理装置１０（受付部１０１）によって順番待ちが受け付けられた順（つまり、登録時刻順）に格納されている。
【００６４】
例えば順番待ち情報１０５ａには、受付番号「１」、人数「３」、登録時刻「登録時刻１」、入店予定時刻「入店予定時刻１」及びステータス「未案内」が含まれている。
【００６５】
この順番待ち情報１０５ａは、受付番号「１」が印刷された順番待ちカードが発券された利用者の順番待ちを示す順番待ち情報であり、店舗を利用する人数が３人であり、当該順番待ち情報１０５ａが登録された時刻（登録時刻）が「登録時刻１」であることを示している。また、この順番待ち情報１０５ａによれば、受付番号「１」が印刷された順番待ちカードが発券された利用者の入店予定時刻は「入店予定時刻１」であり、当該利用者のステータスが「未案内（つまり、まだ店舗に案内されていない）」であることが示されている。
【００６６】
ここでは、順番待ち情報１０５ａについて説明したが、他の順番待ち情報１０５ｂ〜１０５ｅについても同様であるため、その詳しい説明を省略する。
【００６７】
また、図５には順番待ち情報１０５ａ〜１０５ｅのみが示されているが、格納部１０５には、情報管理システムを利用する利用者によって登録された全ての順番待ち情報が格納されている。
【００６８】
ここで、本実施形態においては、順番待ちをしている利用者を店舗に案内するために店舗のスタッフが当該利用者を呼び出す必要がある。このため、第２店舗端末３０には、店舗のスタッフが利用者を呼び出す際に参照される順番待ち一覧画面が表示される。なお、順番待ち一覧画面には、順番待ち情報（順番待ちの状況）が表示される。
【００６９】
以下、図６のシーケンスチャートを参照して、第２店舗端末３０に順番待ち情報（順番待ち一覧画面）を表示する際の情報管理システムの処理手順について説明する。
【００７０】
第２店舗端末３０に順番待ち情報を表示する場合、当該第２店舗端末３０から情報管理装置１０に上記した順番待ち一覧画面の表示（または更新）を要求する（ステップＳ１１）。このステップＳ１１の処理は、例えば店舗のスタッフによる第２店舗端末３０に対する操作が行われた場合、または予め定められた期間、第２店舗端末３０に対する操作が行われなかった場合に実行される。
【００７１】
管理部１０３は、第２店舗端末３０からの要求に応じて、格納部１０５に格納（登録）されている順番待ち情報を取得する（ステップＳ１２）。なお、ステップＳ１２においては、格納部１０５に格納されている順番待ち情報のうち、ステータスが「未案内」である順番待ち情報（つまり、ステータス「未案内」を含む順番待ち情報）が取得される。
【００７２】
次に、管理部１０３は、ステップＳ１２において取得された順番待ち情報を表示するための順番待ち一覧画面を生成する（ステップＳ１３）。
【００７３】
なお、ステップＳ１３において生成された順番待ち一覧画面において、ステップＳ１２において取得された順番待ち情報は、当該順番待ち情報に含まれる入店予定時刻順にソートされて表示される。
【００７４】
表示処理部１０４は、ステップＳ３３において生成された順番待ち一覧画面を第２店舗端末３０に表示するための画面データを第２店舗端末３０に送信する（ステップＳ１４）。
【００７５】
第２店舗端末３０は、表示処理部１０４によって送信された画面データを受信する。これにより、第２店舗端末３０においては、順番待ち一覧画面が表示される（ステップＳ１５）。なお、この順番待ち一覧画面は、例えば第２店舗端末３０上で動作するブラウザを介して表示される。
【００７６】
ここで、図７は、第２店舗端末３０に表示される順番待ち一覧画面の一例を示す。なお、図７においては、図５に示す格納部１０５に格納されている順番待ち情報１０５ａ〜１０５ｅが表示された順番待ち一覧画面２００を示している。
【００７７】
図７に示す順番待ち一覧画面２００においては、順番待ち情報１０５ａ〜１０５ｅが当該順番待ち情報１０５ａ〜１０５ｅに含まれる入店予定時刻が早い順に上から表示されている。
【００７８】
図７に示す順番待ち一覧画面２００の例によれば、店舗のスタッフは、順番待ち情報１０５ａ〜１０５ｅの順に利用者を呼び出して、店舗に入店させることになる。
【００７９】
なお、順番待ち一覧画面２００においては、順番待ち情報１０５ａ〜１０５ｅの各々によって示される順番待ちにおける待ち時間が表示されている。この待ち時間は、上記したように例えば単位待ち時間に待ち組数を乗算することによって算出される。
【００８０】
図７においては待ち時間を表示する例を示しているが、当該待ち時間については表示されない構成としても構わない。また、順番待ち情報１０５ａ〜１０５ｅに含まれる入店予定時刻は順番待ち一覧画面を表示する際に順番待ちをソートする（並び替える）ための情報であり、順番待ち一覧画面２００には表示されていない。
【００８１】
店舗のスタッフは、店舗を利用していた他の利用者が当該店舗の利用を終えることによって、順番待ちをしている利用者が店舗に入店可能となった場合、上記した順番待ち一覧画面２００を参照して、当該順番待ち一覧画面２００の最上位に表示されている順番待ち情報に含まれる受付番号を呼び出すことによって、当該受付番号が印刷された順番待ちカードを所持する利用者（当該順番待ちカードが発券された利用者）を店舗に入店させることができる。
【００８２】
なお、図７に示すように順番待ち一覧画面２００には、各順番待ち情報に対応付けて「案内」ボタン２０１及び「不在」ボタン２０２が設けられている（表示されている）。
【００８３】
ここで、例えば順番待ち一覧画面２００に順番待ち情報１０５ａ〜１０５ｅが表示されている場合において、店舗のスタッフが最上位に表示されている順番待ち情報１０５ａに含まれる受付番号「１」を呼び出した場合を想定する。
【００８４】
この場合に、受付番号「１」が印刷された順番待ちカードを所持する利用者が付近に待機しており、当該利用者を店舗に案内した（入店させた）場合には、店舗のスタッフは、順番待ち一覧画面２００において順番待ち情報１０５ａに対応付けて表示されている「案内」ボタン２０１を押下する。
【００８５】
なお、上記したように順番待ち情報１０５ａに対応付けて表示されている「案内」ボタン２０１が押下された場合には、当該「案内」ボタン２０１が押下されたこと（つまり、順番待ち情報１０５ａによって示される順番待ちをしていた利用者を店舗に案内したこと）を示す情報（以下、案内済情報と表記）が例えば受付番号「１」とともに情報管理装置１０に対して送信される。この場合、情報管理装置１０の受付部１０１は、受付番号「１」及び案内済情報を受信する。管理部１０３は、受付部１０１によって受信された受付番号「１」を含む順番待ち情報１０５ａを格納部１０５から取得し、当該順番待ち情報１０５ａに含まれるステータスを受付部１０１によって受信された案内済情報に基づいて「案内済み」に更新する。
【００８６】
一方、受付番号「１」が印刷された順番待ちカードを所持する利用者が付近に待機しておらず、当該利用者を店舗に案内することができない場合には、店舗のスタッフは、順番待ち一覧画面２００において順番待ち情報１０５ａに対応付けて表示されている「不在」ボタン２０２を押下する。
【００８７】
なお、上記したように順番待ち情報１０５ａに対応付けて表示されている「不在」ボタン２０２が押下された場合には、当該「不在」ボタン２０２が押下されたこと（つまり、順番待ち情報１０５ａによって示される順番待ちをしていた利用者が呼び出し時に不在であったこと）を示す情報（以下、不在情報と表記）が例えば受付番号「１」とともに情報管理装置１０に対して送信される。この場合、情報管理装置１０の受付部１０１は、受付番号「１」及び不在情報を受信する。管理部１０３は、受付部１０１によって受信された受付番号「１」を含む順番待ち情報１０５ａを格納部１０５から取得し、当該順番待ち情報１０５ａに含まれるステータスを受付部１０１によって受信された不在情報に基づいて「不在」に更新する。
【００８８】
また、上記したように順番待ち情報１０５ａに対応付けて表示されている「不在」ボタン２０２が押下された場合、当該順番待ち情報１０５ａの次の順番待ち情報１０５ｂによって示される順番待ちをしていた利用者（つまり、受付番号「２」が印された順番待ちカードを所持する利用者）が呼び出されて店舗に案内される。この場合には、順番待ち情報１０５ｂに対応付けて表示されている「案内」ボタン２０１が店舗のスタッフによって押下され、情報管理装置１０において当該順番待ち情報１０５ｂに含まれるステータスが「案内済み」に更新される。
【００８９】
ここで、上記したように順番待ち一覧画面においてはステータスが「未案内」である順番待ち情報が表示される。このため、例えば上記したように順番待ち情報１０５ａに対応付けて表示されている「不在」ボタン２０２が押下され、順番待ち情報１０５ｂに対応付けて表示されている「案内」ボタン２０１が押下された場合には、当該順番待ち情報１０５ａ及び順番待ち情報１０５ｂは非表示となり、図８に示す順番待ち一覧画面３００が第２店舗端末３０に表示される。
【００９０】
なお、図７に示す順番待ち一覧画面２００には、「順番待ち一覧」ボタン２０３及び「不在一覧」ボタン２０４が設けられている（表示されている）。
【００９１】
「順番待ち一覧」ボタン２０３は、図７に示すような順番待ち一覧画面を表示するためのボタンである。図７に示す順番待ち一覧画面２００では、「順番待ち一覧」ボタン２０３が押下された状態（つまり、順番待ち一覧画面が表示されている状態）を示している。「順番待ち一覧」ボタン２０３が押下された場合には、上記した図６に示す処理が実行される。
【００９２】
一方、「不在一覧」ボタン２０４は、上記したように「不在」ボタン２０２が押下された順番待ち情報（店舗のスタッフによって押下された「不在」ボタン２０２に対応付けて表示されていた順番待ち情報）の一覧を表示するためのボタンである。
【００９３】
すなわち、図７に示す順番待ち一覧画面２００にはステータスが「未案内」である順番待ち情報（の一覧）が表示されるが、「不在一覧」ボタン２０４が押下された場合には、ステータスが「不在」である順番待ち情報の一覧（不在一覧画面）が表示される。
【００９４】
例えば図７に示す順番待ち一覧画面２００において「不在一覧」ボタン２０４が押下された場合には、図９に示すような不在一覧画面４００が表示される。すなわち、順番待ち一覧画面２００が表示されている時点ではステータスが「不在」である順番待ち情報は存在しないため、図９に示す不在一覧画面４００には順番待ち情報は表示されていない。
【００９５】
一方、例えば図８に示す順番待ち一覧画面３００（順番待ち一覧画面）において「不在一覧」ボタン２０４が押下された場合には、図１０に示すような不在一覧画面５００が表示される。すなわち、図１０に示す不在一覧画面５００においては、呼び出し時に不在であったために「不在」ボタン２０２が押下された利用者の順番待ちを示す順番待ち情報（ここでは、順番待ち情報１０５ａ）が表示される。図１０に示す例では、順番待ち情報１０５ａに含まれる受付番号「１」が表示されている。また、図１０に示すように、不在一覧画面５００においては、受付番号「１」とともに呼び出し時刻が表示されてもよい。呼び出し時刻は、例えば順番待ち一覧画面２００において「不在」ボタン２０２が押下された時刻とすることができる。
【００９６】
上記したように本実施形態において、例えば順番待ち一覧画面に表示された順番待ち情報に従った利用者の呼び出し時に当該利用者が不在であった場合には、当該利用者の順番待ちを示す順番待ち情報のステータスを「不在」に変更（更新）することによって順番待ち一覧画面から当該順番待ち情報を非表示とし、次の順番待ち情報によって示される順番待ちをしている利用者を呼び出すことができる。これによれば、呼び出し時に利用者が不在である場合であっても、順番待ちをしている利用者の呼び出しを円滑に行うことができる。
【００９７】
一方、例えば順番待ちをキャンセルしたのではなく、利用者が店舗外で順番待ちをしていたような場合には、呼び出し時に不在であったとしても、当該呼び出しの後に再度来店する（店内に戻ってくる）場合がある。
【００９８】
このように呼び出し後に再度来店した利用者に対する対応は店舗によって異なる場合が多く、情報管理システムにおいても柔軟に対応する必要がある。
【００９９】
以下、図１１のシーケンスチャートを参照して、呼び出し後に利用者が再度来店した場合における情報管理システムの処理手順について説明する。ここでは、呼び出し後に再度来店した利用者を対象利用者と称する。
【０１００】
まず、呼び出し後に対象利用者が再度来店した場合、店舗のスタッフは、第２店舗端末３０に表示されている順番待ち一覧画面上の「不在一覧」ボタン２０４を押下する。
【０１０１】
このように「不在一覧」ボタン２０４が押下された場合、第２店舗端末３０から情報管理装置１０に不在一覧画面の表示を要求する（ステップＳ２１）。
【０１０２】
管理部１０３は、第２店舗端末３０からの要求に応じて、格納部１０５に格納されている順番待ち情報を取得する（ステップＳ２２）。このステップＳ２２においては、格納部１０５に格納されている順番待ち情報のうち、ステータスが「不在」である順番待ち情報（つまり、ステータス「不在」を含む順番待ち情報）が取得される。
【０１０３】
次に、管理部１０３は、ステップＳ２２において取得された順番待ち情報を表示するための不在一覧画面を生成する（ステップＳ２３）。
【０１０４】
表示処理部１０４は、ステップＳ２３において生成された不在一覧画面を第２店舗端末３０に表示するための画面データを第２店舗端末３０に送信する（ステップＳ２４）。
【０１０５】
第２店舗端末３０は、表示処理部１０４によって送信された画面データを受信する。これにより、第２店舗端末３０においては、不在一覧画面が表示される（ステップＳ２５）。なお、不在一覧画面は、上記した順番待ち一覧画面と同様に、例えば第２店舗端末３０上で動作するブラウザを介して表示される。
【０１０６】
ここで、図１０に示すように、不在一覧画面５００には上記したように順番待ち情報１０５ａに対応付けて「戻す」ボタン５０１が設けられている。この「戻す」ボタン５０１は、不在一覧画面５００に表示されている順番待ち情報１０５ａを順番待ち一覧画面に戻すためのボタンである。なお、図１０に示す例では、１つの順番待ち情報１０５ａのみが表示されているため、１つの「戻す」ボタン５０１のみが設けられているが、当該「戻す」ボタンは、不在一覧画面に表示される順番待ち情報毎に設けられている。
【０１０７】
上記したように呼び出し後に対象利用者（不在一覧画面５００に表示されている順番待ち情報１０５ａによって示される順番待ちをしていた利用者）が再度来店した場合であって当該対象利用者に再度順番待ちをさせる場合、店舗のスタッフは、当該順番待ち情報に対応付けて不在一覧画面に表示されている「戻す」ボタンを押下する。以下の説明においては、店舗のスタッフによって押下された「戻す」ボタンに対応付けられている順番待ち情報を対象順番待ち情報と称する。
【０１０８】
このように「戻す」ボタンが押下された場合、第２店舗端末３０には、順番指定画面が表示される（ステップＳ２６）。順番指定画面は、店舗のスタッフが第２店舗端末３０を操作することによって、対象順番待ち情報によって示される順番待ちをする対象利用者を呼び出す順番を指定するための画面である。換言すれば、順番指定画面において指定される順番は、順番待ち情報が順番待ち一覧画面に戻された際に当該順番待ち一覧画面に表示される位置（つまり、順番待ち一覧画面に戻された後の順番）に相当する。
【０１０９】
ここで、図１２は、順番指定画面の一例を示す。図１２に示すように、順番指定画面６００には、順番指定欄６０１、数字ボタン領域６０２及び「決定」ボタン６０３が設けられている。
【０１１０】
順番指定欄６０１は、上記した対象利用者を呼び出す順番が入力（指定）される領域である。対象利用者の順番は、店舗のスタッフが数字ボタン領域６０２に配列されている「０」〜「９」までのボタンを選択（押下）することによって順番指定欄６０１に入力することができる。
【０１１１】
順番待ち一覧画面に表示されている順番待ち情報の数（現在の待ち組数）をｍとすると、順番指定欄６０１に入力することができる順番（数値）は、１以上、かつ、ｍ＋１以下の数値（整数）である。
【０１１２】
「決定」ボタン６０３は、順番指定欄６０１に入力された対象利用者を呼び出す順番を決定するためのボタンである。
【０１１３】
なお、図１２に示す順番指定画面６００には、順番指定欄６０１、数字ボタン領域６０２及び「決定」ボタン６０３が設けられているものとして説明したが、例えば順番指定画面６００から前の画面（不在一覧画面５００）に戻るためのボタンや順番指定欄６０１に入力された数値を削除するためのボタン等が更に設けられていてもよい。
【０１１４】
再び図１１に戻ると、上記したように順番指定欄６０１に対象利用者の順番が入力されて「決定」ボタン６０３が押下された場合、第２店舗端末３０は、対象順番待ち情報を順番待ち情報一覧画面に戻すことを要求する。この場合、第２店舗端末３０は、対象順番待ち情報に含まれる受付番号及び順番指定画面において指定された順番を情報管理装置１０に送信する。
【０１１５】
情報管理装置１０に含まれる受付部１０１は、第２店舗端末３０によって送信された受付番号及び順番を受信する。
【０１１６】
管理部１０３は、受付部１０１によって受信された受付番号を含む順番待ち情報（対象順番待ち情報）を格納部１０５から取得する（ステップＳ２８）。
【０１１７】
管理部１０３は、ステップＳ２８において取得された対象順番待ち情報に含まれるステータスを更新する（ステップＳ２９）。
【０１１８】
なお、対象順番待ち情報は不在一覧画面に表示されていたため、当該対象順番待ち情報に含まれる現在のステータスは「不在」である。この場合、管理部１０３は、対象順番待ち情報を順番待ち一覧画面に再度表示させる（つまり、順番待ち一覧画面に戻す）ために、当該対象順番待ち情報に含まれるステータスを「不在」から「未案内」に変更する。なお、対象順番待ち情報に含まれるステータスは、例えば対象順番待ち情報が不在一覧画面から順番待ち一覧画面に戻されたことを示す「再案内」等に変更されてもよい。この場合には、順番待ち一覧画面には、ステータスが「未案内」及び「再案内」である順番待ち情報が表示されればよい。
【０１１９】
ここで、順番待ち一覧画面において、順番待ち情報は、当該順番待ち情報に含まれる入店予定時刻順にソートされて表示される。このため、対象順番待ち情報を順番待ち一覧画面に戻す場合には、入店予定時刻を更新（修正）する必要がある。
【０１２０】
このため、管理部１０３は、受付部１０１によって受信された順番に基づいて、対象順番待ち情報に含まれる入店予定時刻を更新する（ステップＳ３０）。ステップＳ３０においては、管理部１０３は、対象順番待ち情報が受付部１０１によって受信された順番の位置に表示されるように入店予定時刻を更新する。
【０１２１】
具体的には、入店予定時刻順に並べられた複数の順番待ち情報において受付部１０１によって受信された順番の位置に対象順番待ち情報が挿入されたものとした場合に、当該対象順番待ち情報の前後に位置する順番待ち情報に含まれる入店予定時刻の間の時刻を算出する。対象順番待ち情報に含まれる入店予定時刻は、このように算出された入店予定時刻に修正される。
【０１２２】
例えば図８及び図１０に示すように、順番待ち一覧画面３００に順番待ち情報１０５ｃ〜１０５ｅが表示されており、不在一覧画面５００に順番待ち情報１０５ａが表示されており、当該順番待ち情報１０５ａを順番待ち一覧画面に戻す場合を想定する。
【０１２３】
ここで、上記した順番指定画面において順番「２」が指定されたものとすると、順番待ち一覧画面３００において２番目に順番待ち情報１０５ａを挿入した場合における当該順番待ち情報１０５ａの前（上）に位置する順番待ち情報は、順番待ち情報１０５ｃである。また、順番待ち一覧画面３００において２番目に順番待ち情報１０５ａを挿入した場合における当該順番待ち情報１０５ａの後（下）に位置する順番待ち情報は、順番待ち情報１０５ｄである。
【０１２４】
この場合、管理部１０３は、順番待ち情報１０５ｃに含まれる入店予定時刻及び順番待ち情報１０５ｄに含まれる入店予定時刻を取得し、当該２つの入店予定時刻の間の時刻を算出する。具体的には、順番待ち情報１０５ｃに含まれる入店予定時刻が例えば１０時１０分であり、順番待ち情報１０５ｄに含まれる入店予定時刻が１０時１７分である場合には、管理部１０３は、例えば１０時１３分を算出する。これにより、管理部１０３は、順番待ち情報１０５ａに含まれる入店予定時刻を１０時１３分に更新することができる。
【０１２５】
このように順番待ち情報１０５ａに含まれる入店予定時刻が更新された後に図６に示す処理が実行された場合には、図１３に示すように、順番待ち情報１０５ａが２番目の位置となるような順番待ち一覧画面を生成及び表示することが可能となる。
【０１２６】
なお、ここでは順番指定画面において順番「２」が指定された場合について説明したが、２つの順番待ち情報に挟まれる位置（順番）が指定された場合には、同様に入店予定時刻を更新することが可能である。
【０１２７】
一方、例えば順番指定画面において順番「１（つまり、先頭）」が指定されたものとすると、順番待ち一覧画面３００において１番目（最上位）に順番待ち情報１０５ａを挿入した場合における当該順番待ち情報１０５ａの後（下）に位置する順番待ち情報は、順番待ち情報１０５ｃである。
【０１２８】
この場合、管理部１０３は、順番待ち情報１０５ｃに含まれる順番待ち情報１０５ｃに含まれる入店予定時刻を取得し、当該入店予定時刻から予め定められた時間（例えば、１分）を減算した時刻を算出する。具体的には、順番待ち情報１０５ｃに含まれる入店予定時刻が例えば１０時１０分である場合には、管理部１０３は、１０時９分を算出する。これにより、管理部１０３は、順番待ち情報１０５ａに含まれる入店予定時刻を１０時９分に更新することができる。なお、この場合における更新後の入店予定時刻は順番待ち情報１０５ｃに含まれる入店予定時刻よりも早い時刻であればよいが、順番待ち情報１０５ｃに含まれる入店予定時刻から減算される予め定められた時間は少なくとも単位待ち時間よりも短い時間であることが好ましい。
【０１２９】
また、例えば順番指定画面において順番「４（つまり、最後尾）」が指定されたものとすると、順番待ち一覧画面３００において４番目（最下位）に順番待ち情報１０５ａを挿入した場合における当該順番待ち情報１０５ａの前（上）に位置する順番待ち情報は、順番待ち情報１０５ｅである。
【０１３０】
この場合、管理部１０３は、順番待ち情報１０５ｅに含まれる順番待ち情報１０５ｅに含まれる入店予定時刻を取得し、当該入店予定時刻から予め定められた時間（例えば、１分）を加算した時刻を算出する。具体的には、順番待ち情報１０５ｅに含まれる入店予定時刻が例えば１０時２４分である場合には、管理部１０３は、１０時２５分を算出する。これにより、管理部１０３は、順番待ち情報１０５ａに含まれる入店予定時刻を１０時２５分に更新することができる。なお、この場合における更新後の入店予定時刻は順番待ち情報１０５ｅに含まれる入店予定時刻よりも遅い時刻であればよいが、順番待ち情報１０５ｅに含まれる入店予定時刻に加算される予め定められた時間は例えば単位待ち時間とすることができる。
【０１３１】
上記したように本実施形態においては、呼び出し時に不在であったことによりステータスが「不在」に更新された場合であっても、再度来店した場合には、順番待ち一覧画面の適切な位置に再度表示されるようにすることが可能となる。
【０１３２】
ここでは、ステータスが「不在」である順番待ち情報を順番待ち一覧画面に戻す場合について説明したが、例えば当該ステータスが「不在」となった後、予め定められた期間（一定期間）が経過した場合には、当該順番待ち情報（によって示される順番待ち）はキャンセルされたものとして扱われるものとする。具体的には、情報管理装置１０において不在情報が受信された後（つまり、順番待ち一覧画面において「不在」ボタンが押下された後）、予め定められた期間が経過した場合、順番待ち情報に含まれるステータスは「不在」から「キャンセル」に更新され、不在一覧画面及び順番待ち一覧画面のいずれにも表示されなくなる。順番待ち情報がキャンセルされたものとして扱うか否かを判定するための予め定められた期間は、例えば店舗毎に設定可能であるものとする。
【０１３３】
ここで、本実施形態においては、各順番待ち情報に含まれる入店予定時刻順にソートすることによって順番待ち一覧画面を生成するものとして説明したが、当該入店予定時刻を更に利用して当該順番待ち一覧画面の表示を変化させることも可能である。
【０１３４】
以下、図１４のフローチャートを参照して、入店予定時刻を利用して順番待ち一覧画面の表示を変化させる場合の情報管理装置１０の処理手順について説明する。なお、図１４に示す処理は、例えば図６に示すステップＳ１３及びＳ１４の処理の間に実行される。ここでは、図６に示すステップＳ１２において取得された順番待ち情報を入店予定時刻順にソートして表示するための順番待ち一覧画面が生成されているものとする。
【０１３５】
まず、管理部１０４は、現在時刻を取得する（ステップＳ４１）。この現在時刻は、例えば情報管理装置１０に内蔵されているクロック等から取得することが可能である。
【０１３６】
次に、順番待ち一覧画面において表示される順番待ち情報の各々についてステップＳ４２〜Ｓ４７の処理が実行される。以下、この処理の対象となる順番待ち情報を対象順番待ち情報と称する。また、対象順番待ち情報によって示される順場待ちをしている利用者を対象利用者と称する。
【０１３７】
この場合、管理部１０３は、順番待ち一覧画面に表示されている順番待ち情報のうちの対象順番待ち情報よりも入店予定時刻が早い順番待ち情報の数（つまり、対象利用者の前に順番待ちをしている利用者の組の数）に対象利用者（の組）を加えた待ち組数をカウントする（ステップＳ４２）。なお、対象順番待ち情報よりも入店予定時刻が早い順番待ち情報とは、順番待ち一覧画面において対象順番待ち情報よりも上位に位置する順番待ち情報である。
【０１３８】
管理部１０３は、上記した予め設定されている単位待ち時間にステップＳ４２においてカウントされた待ち組数を乗算することによって、対象利用者が店舗に入店する（つまり、店舗を利用する）ことができるまでの時間（待ち時間）を算出する（ステップＳ４３）。
【０１３９】
次に、管理部１０３は、ステップＳ４１において取得された現在時刻にステップＳ４３において算出された待ち時間を加算することによって入店予定時刻を算出する（ステップＳ４４）。
【０１４０】
ここで、上記したように格納部１０５に格納されている順番待ち情報の各々には入店予定時刻が含まれているが、この入店予定時刻は、当該順番待ち情報の登録時の順番待ちの状況に基づくものである。一方、ステップＳ４４に算出された入店予定時刻は、現在の順番待ちの状況に基づくものである。よって、対象順番待ち情報に含まれる入店予定時刻（対象順番待ち情報の登録時に想定されていた入店予定時刻）と、当該対象順番待ち情報についてステップＳ４４において算出された入店予定時刻（現時点で想定される入店予定時刻）とには、当該対象順番待ち情報の登録後の店舗における回転率等によって差異が生じている可能性がある。
【０１４１】
そこで、管理部１０３は、対象順番待ち情報に含まれる入店予定時刻（以下、登録時の入店予定時刻と表記）とステップＳ４４において算出された入店予定時刻（以下、現在の入店予定時刻と表記）との差分を算出する（ステップＳ４５）。
【０１４２】
管理部１０３は、ステップＳ４５において算出された差分が予め定められた値（以下、閾値と表記）以上であるか否かを判定する（ステップＳ４６）。なお、ステップＳ４６においては、現在の入店予定時刻が登録時の入店予定時刻よりも遅れている場合に差分が閾値以上であると判定されるものとする。すなわち、ステップＳ４５において算出された差分（絶対値）が閾値以上であったとしても、現在の入店予定時刻が登録時の入店予定時刻よりも早くなっている場合には、ステップＳ４６においては差分が閾値以上であるとは判定されないものとする。
【０１４３】
差分が閾値以上であると判定された場合（ステップＳ４６のＹＥＳ）、管理部１０３は、順番待ち一覧画面における対象順番待ち情報の表示を加工する（ステップＳ４７）。この場合、対象順番待ち情報は、順番待ち一覧画面において例えば強調表示される。
【０１４４】
ステップＳ４７の処理が実行されると、順番待ち一覧画面において表示される全ての順番待ち情報についてステップＳ４２〜Ｓ４７の処理が実行されたか否かが判定される（ステップＳ４８）。
【０１４５】
全ての順番待ち情報について処理が実行されていないと判定された場合（ステップＳ４８のＮＯ）、ステップＳ４２に戻って処理が繰り返される。この場合、処理が実行されていない順番待ち情報を対象順番待ち情報としてステップＳ４２〜Ｓ４７の処理が実行される。
【０１４６】
一方、全ての順番待ち情報について処理が実行されたと判定された場合（ステップＳ４８のＹＥＳ）、図１４に示す処理は終了される。
【０１４７】
なお、ステップＳ４６において差分が閾値以上でないと判定された場合（ステップＳ４６のＮＯ）、ステップＳ４７の処理は実行されず、ステップＳ４８の処理が実行される。
【０１４８】
上記したように図１４に示す処理によれば、登録時の入店予定時刻と現在の入店予定時刻とをそれぞれ比較することによって順番待ち一覧画面における各順番待ち情報の表示を変化させることができる。
【０１４９】
ここで、差分が閾値以上であると判定された順番待ち情報について順番待ち一覧画面において強調表示するものとして説明したが、当該差分が閾値以上であることを店舗のスタッフに通知することができるのであれば、順番待ち情報は他の態様で表示されても構わない。また、順番待ち情報の表示を変化させるのではなく、例えばアラームまたは音声等で差分が閾値以上であることが通知されるようにしてもよい。
【０１５０】
なお、上記したように利用者が店舗に案内された（利用者を入店させた）場合に、情報管理装置１０が当該利用者による順番待ちにおける実際の案内時刻を取得する構成としてもよい。この案内時刻は、例えば順番待ち一覧画面において「案内」ボタンが店舗のスタッフによって押下された際に第２店舗端末３０から送信された案内済情報が情報管理装置１０において受信された時刻であり、当該案内済情報の受信時に情報管理装置１０に内蔵されているクロック等から取得することができる。また、案内時刻は例えば「案内」ボタンが押下された時刻であり、当該案内時刻を含む案内済情報が第２店舗端末３０から送信されることによって、情報管理装置１０が案内時刻を取得するようにしてもよい。この場合、格納部１０５には、情報管理装置１０において取得された案内時刻を更に含む順番待ち情報が格納される。
【０１５１】
ここで、登録時の入店予定時刻と案内時刻との差分は、登録時に想定されていた入店予定時刻と実際に入店した時刻との差であり、店舗における回転率、業務の効率、体制（スタッフの数等）が適切であるか否か等の指標となるものである。
【０１５２】
したがって、本実施形態においては、例えば順番待ち情報毎に登録時の入店予定時刻と案内時刻との差分を算出し、当該差分の一覧を当該第２店舗端末３０に表示する構成とすることも可能である。この場合、算出された差分とともに登録時の入店予定時刻及び案内時刻が表示されてもよいし、順番待ち情報に含まれる他の情報が更に表示されてもよい。
【０１５３】
上記したように本実施形態においては、複数の利用者の各々の店舗に対する順番待ちを示す複数の順番待ち情報を、当該順番待ちが受け付けられた順に登録し、当該登録された複数の順番待ち情報を第２店舗端末３０に表示する。また、本実施形態においては、第２店舗端末３０に表示された複数の順番待ち情報のうちの１つの順番待ち情報（第１順番待ち情報）に従って呼び出された利用者が不在であることを示す不在情報が受信された場合、当該第１順番待ち情報を非表示とする。更に、本実施形態においては、第２店舗端末３０に対する操作に応じて第１順番待ち情報を第２店舗端末３０に再度表示する。
【０１５４】
本実施形態においては、このような構成により、順番待ち一覧画面に表示されていた順番待ち情報に従った呼び出し時に利用者が不在である場合には、当該順番待ち情報を順番待ち一覧画面に表示されないようにし、当該呼び出しの後に当該利用者が再度来店したような場合には当該順番待ち情報を再度順番待ち一覧画面に表示させることができる。すなわち、本実施形態においては、順番待ち一覧画面に表示されていた順番待ち情報に従った呼び出し時に不在であった利用者が再度来店した場合にも当該利用者を再度呼び出す等の適切な対応をすることが可能となる。
【０１５５】
なお、不在情報が受信された後、第２店舗端末３０に対する所定の操作（順番待ち情報を順番待ち一覧画面に戻す操作）が行われることなく予め定められた期間が経過した（つまり、利用者が再度来店しない）場合には、当該利用者の順番待ちはキャンセルしたものとして扱われる。
【０１５６】
また、本実施形態においては、複数の順番待ち情報を当該順番待ち情報の各々に含まれる登録時の入店予定時刻（第１入店予定時刻）の順に第２店舗端末３０に表示し、第１順番待ち情報を含む複数の順番待ち情報を第２店舗端末３０に再度表示する場合、当該第１順番待ち情報に含まれる登録時の入店予定時刻を更新する。本実施形態においては、このような構成により、順番待ち一覧画面において第１順番待ち情報を再度表示する場合に、更新された入店予定時刻に基づいて当該第１順番待ち情報を含む複数の順番待ち情報を適切な順に表示することが可能となる。
【０１５７】
更に、本実施形態においては、第２店舗端末３０に対する利用者を呼び出す順番を指定する操作に基づいて第１順番待ち情報に含まれる登録時の入店予定時刻を更新する構成により、第１店舗端末３０を操作する店舗のスタッフの意図する順番で第１順番待ち情報を表示することが可能となる。すなわち、本実施形態においては、第１順番待ち情報を任意の順番で呼び出されるように順番待ち一覧画面に表示することができるため、例えば店舗の状況等に応じて異なる対応をする（例えば、順番を変える）ことが可能となる。
【０１５８】
また、本実施形態においては、複数の順番待ち情報によって示される順番待ちの各々における利用者の現在の入店予定時刻（第２入店予定時刻）を算出し、複数の順番待ち情報の各々に含まれる登録時の入店予定時刻と算出された現在の入店予定時刻とをそれぞれ比較することによって、複数の順番待ちの情報の表示を変化させる。具体的には、本実施形態においては、登録時の入店予定時刻と現在の入店予定時刻との差分が閾値以上である場合には、順番待ち一覧画面において順番待ち情報が強調表示される。本実施形態においては、このような構成により、現在の入店予定時刻が登録時の入店予定時刻よりも大幅に遅れているような場合には、その旨を店舗のスタッフに通知することが可能となる。このような通知によれば、店舗のスタッフは、例えば当該店舗の回転率を向上させるよう対策を講じることができる。
【０１５９】
また、本実施形態においては、登録時の入店予定時刻と実際の店舗への案内時刻との差分の一覧を表示することも可能である。上記したようにこの差分（の一覧）は店舗における回転率、業務の効率、体制（スタッフの数等）が適切であるか否か等の指標となるものである。このため、店舗の経営者等は、店舗における回転率、業務の効率、体制が適切であるか否か等の分析に、登録時の入店予定時刻と実際の店舗への案内時刻との差分の一覧を利用することができる。本実施形態においてはこのような差分の一覧が第２店舗端末３０に表示されるものとして説明したが、当該差分の一覧は、例えばディスプレイまたは外部装置等に出力されてもよい。
【０１６０】
なお、上記した実際の店舗への案内時刻が登録時の入店予定時刻よりも遅れている場合、当該登録時の入店予定時刻と当該案内時刻との差分は、順番待ち情報の登録時に想定していた待ち時間を超えて利用者を待たせた時間（以下、遅延時間と表記）に相当する。この場合、例えば順番待ち情報の各々について算出された差分に基づいて遅延時間が発生する時間帯等を特定することにより、例えば当該時間帯におけるオペレーションの改善を図るようなことが可能となる。
【０１６１】
また、時間帯に関係なく１日を通して遅延時間が生じているような場合には、例えば入店予定時刻（待ち時間）を算出するために用いられる単位待ち時間の設定が適切でない可能性がある。つまり、このように遅延時間の発生が多い場合には、単位待ち時間を自動的に調整する（単位待ち時間が長くなるように設定を変更する）ような構成とすることも可能である。なお、遅延時間の発生が多いか否かは、例えば１日の間に登録された順番待ち情報のうち、遅延時間が発生した（つまり、案内時刻が登録時の入店予定時刻よりも遅い）順番待ちを示す順番待ち情報の割合に基づいて判別することができる。
【０１６２】
なお、本実施形態においては登録時の入店予定時刻と案内時刻との差分の一覧が表示されるものとして説明したが、上記した分析のために、例えば順番待ち情報に含まれる登録時刻と案内時刻との差分（つまり、実際の待ち時間）の平均値や、登録時の入店予定時刻と案内時刻との比較結果（例えば、当該入店予定時刻通りに入店することができた順番待ちの割合）等を第２店舗端末３０に表示するようなことも可能である。なお、入店予定時刻通りに入店することができたか否かは、例えば案内時刻が登録時の入店予定時刻の予め定められた範囲内にあるか否かに基づいて判別可能である。
【０１６３】
なお、本実施形態においては、第１店舗端末２０（または第２店舗端末３０）から順番待ち情報を登録するものとして説明したが、当該順番待ち情報は、例えば利用者が使用する利用者端末を用いたインターネットのようなネットワーク経由で登録される構成であってもよい。なお、利用者端末には、例えばフィーチャーフォン、スマートフォン、タブレット端末及びパーソナルコンピュータ（ＰＣ）等が含まれる。
【０１６４】
また、本実施形態においては、情報管理装置１０は１つの装置として説明したが、例えば情報管理装置１０の機能が複数の装置に分散されるような構成であっても構わない。
【０１６５】
上記した実施形態に記載した手法は、コンピュータに実行させることのできるプログラムとして、磁気ディスク（フロッピー（登録商標）ディスク、ハードディスクなど）、光ディスク（ＣＤ−ＲＯＭ、ＤＶＤなど）光磁気ディスク（ＭＯ）、半導体メモリなどの記憶媒体に格納して頒布することもできる。
【０１６６】
また、この記憶媒体としては、プログラムを記憶でき、かつコンピュータが読み取り可能な記憶媒体であれば、その記憶形式は何れの形態であってもよい。
【０１６７】
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が本実施形態を実現するための各処理の一部を実行してもよい。
【０１６８】
更に、本発明における記憶媒体は、コンピュータと独立した媒体に限らず、ＬＡＮやインターネット等により伝送されたプログラムをダウンロードして記憶または一時記憶した記憶媒体も含まれる。
【０１６９】
また、記憶媒体は１つに限らず、複数の媒体から本実施形態における処理が実行される場合も本発明における記憶媒体に含まれ、媒体構成は何れの構成であってもよい。
【０１７０】
なお、本発明におけるコンピュータは、記憶媒体に記憶されたプログラムに基づき、本実施形態における各処理を実行するものであって、パソコン等の１つからなる装置、複数の装置がネットワーク接続されたシステム等の何れの構成であってもよい。
【０１７１】
また、本発明におけるコンピュータとは、パソコンに限らず、情報処理機器に含まれる演算処理装置、マイコン等も含み、プログラムによって本発明の機能を実現することが可能な機器、装置を総称している。
【０１７２】
なお、本願発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。更に、異なる実施形態に亘る構成要素を適宜組合せてもよい。  
【符号の説明】
【０１７３】
１０…情報管理装置、１１…バス、１２…不揮発性メモリ、１３…ＣＰＵ、１４…メインメモリ、１５…通信部、２０…第１店舗端末、３０…第２店舗端末、１０１…受付部、１０２…登録部、１０３…管理部、１０４…表示処理部、１０５…格納部。
【図１】
2019046432.tif 000003
【図２】
2019046432.tif 000004
【図３】
2019046432.tif 000005
【図４】
2019046432.tif 000006
【図５】
2019046432.tif 000007
【図６】
2019046432.tif 000008
【図７】
2019046432.tif 000009
【図８】
2019046432.tif 000010
【図９】
2019046432.tif 000011
【図１０】
2019046432.tif 000012
【図１１】
2019046432.tif 000013
【図１２】
2019046432.tif 000014
【図１３】
2019046432.tif 000015
【図１４】
2019046432.tif 000016